【手続補正書】
【提出日】平成15年12月19日(2003.12.19)
【手続補正１】
【補正対象書類名】明細書
【補正対象項目名】特許請求の範囲
【補正方法】変更
【補正の内容】
【特許請求の範囲】
【請求項１】
それぞれ異なる位置に配置された複数の制御回路にクロックを供給するクロック供給回路であって、
前記複数の制御回路に沿って配置された往復配線と、
前記往復配線の往路配線に第１のクロックを出力するメインクロック駆動回路と、
前記制御回路のそれぞれの近傍に配置され、前記往復配線の往路配線に沿う前記第１のクロックにより伝播される往路クロックと、前記往復配線の復路配線に沿って伝播される復路クロックが供給され、前記往路クロックと前記復路クロックの中間の位相を有するローカルクロックを発生し、それぞれ対応する前記制御回路に前記ローカルクロックを供給する複数のローカルクロック駆動回路を備え、
前記メインクロック駆動回路は、基準クロックが供給され、前記第１のクロックが前記往路配線の終端に到達する時点の位相が前記基準クロックの位相に一致するように前記第１のクロックの位相を制御することを特徴とするクロック供給回路。
【請求項２】
前記ローカルクロック駆動回路の各々は、
前記往路クロックを遅延する遅延回路と、
該遅延回路により遅延された第１の遅延クロックと前記復路クロックの位相を比較する位相比較回路を備え、
前記遅延回路の遅延量は、前記位相比較回路の出力に応じて、前記第１の遅延クロックと前記復路クロックの位相が一致するように制御され、
さらに、前記ローカルクロック駆動回路の各々は、ローカルクロックとして、前記遅延回路の半分の遅延時間による前記往路クロックの遅延により得られる第２の遅延クロックを出力することを特徴とする請求項１記載のクロック供給回路。
【請求項３】
前記メインクロック駆動回路は、
前記基準クロックを遅延することにより前記第１のクロックを発生する第１の可変遅延回路と、
前記往復配線に沿う一方向伝播の遅延特性を有するダミー遅延回路と、
前記基準クロックと、前記第１のクロックをダミー遅延回路を通過させることにより得られる遅延クロックの位相を比較する位相比較回路を備え、
前記第１の可変遅延回路の遅延特性が前記基準クロックと前記遅延クロックの位相が一致するように制御されることを特徴とする請求項１記載のクロック供給回路。
【請求項４】
それぞれ異なる位置に配置された複数の制御回路にクロックを供給するクロック供給回路であって、
前記複数の制御回路に沿って配置された往復配線と、
前記複数の制御回路に沿って配置された内部クロック供給線と、
前記往復配線の往路配線に第１のクロックを出力し、前記内部クロック供給線に前記第１のクロックよりも周期が短い第２のクロックを出力するメインクロック駆動回路と、
前記制御回路のそれぞれの近傍に配置され、前記往路配線に沿う前記第１のクロックにより伝播される往路クロックと、前記復路配線に沿って伝播される復路クロックが供給され、前記内部クロック供給線に沿って伝播される前記第２のクロックが供給され、前記第２のクロックの位相を前記往路クロックと前記復路クロック間の半分の位相差に遅延し、前記第２のクロックの遅延クロックをローカルクロックとしてそれぞれ対応する制御回路に供給する複数のローカルクロック駆動回路
を備えることを特徴とするクロック供給回路。
【請求項５】
前記メインクロック駆動回路は、基準クロックが供給され、前記第１のクロックが前記往路配線の終端に到達する時点の位相が前記基準クロックの位相に一致するように制御される位相を持つ前記第１のクロックを発生することを特徴とする請求項４記載のクロック供給回路。
【請求項６】
前記メインクロック駆動回路は、基準クロックが供給され、前記基準クロックとの間に指定された位相差を有する前記第２のクロックを発生し、更に、前記第１のクロックを発生することを特徴とする請求項４記載のクロック供給回路。
【請求項７】
前記メインクロック駆動回路は、基準クロックが供給され、前記基準クロックとの間に指定された位相差を有する前記第２のクロックを発生し、更に、前記基準クロックの分周により前記第１のクロックを発生することを特徴とする請求項４記載のクロック供給回路。
【請求項８】
前記ローカルクロック駆動回路の各々は、
前記往路クロックを遅延する第１の遅延回路と、
前記第２のクロックを前記第１の遅延回路の半分の遅延時間だけ遅延する第２の遅延回路と、
前記第１の遅延回路により遅延された第１の遅延クロックの位相を前記復路クロックの位相と比較する位相比較回路を備え、
前記第１、第２の遅延クロックの位相量が、前記位相比較回路の出力に応じて、前記第１の遅延クロックと前記復路クロックの位相が一致するように制御され、
さらに、前記ローカルクロック駆動回路の各々が、ローカルクロックとして、前記第２の遅延回路により遅延された第２の遅延クロックを出力することを特徴とする請求項４記載のクロック供給回路。
【請求項９】
前記ローカルクロック駆動回路の各々は、
前記往路クロックを遅延する第１の遅延部、及び、前記第１の遅延部により遅延された前記往路クロックを前記第１の遅延部と同一の遅延時間だけ遅延する第２の遅延部を備える第１の遅延回路と、
前記第１の遅延部と同一の遅延時間だけ前記第２のクロックを遅延する第２の遅延回路と、
前記第１の遅延回路により遅延された第１の遅延クロックの位相を前記復路クロックの位相と比較する位相比較回路を備え、
前記第１の遅延部、前記第２の遅延部及び前記第２の遅延回路の遅延量は、それぞれ、前記位相比較回路の出力に応じて、前記第１の遅延クロックと前記復路クロックの位相が一致するように、同じ方向に制御され、
さらに、前記ローカルクロック駆動回路の各々が、ローカルクロックとして、前記第２の遅延回路により遅延された第２の遅延クロックを出力することを特徴とする請求項４記載のクロック供給回路。
【請求項１０】
前記第１のクロックの周期は、前記往復配線を伝播する時間より長いことを特徴とする請求項４記載のクロック供給回路。
【請求項１１】
それぞれ異なる位置に配置された複数の制御回路にクロックを供給するクロック供給回路を有する集積回路であって、
前記クロック供給回路は、
前記複数の制御回路に沿って配置された往復配線と、
前記往復配線の往路配線に第１のクロックを出力するメインクロック駆動回路と、
前記制御回路のそれぞれの近傍に配置され、前記往復配線の往路配線に沿う第１のクロックにより伝播される往路クロックと、前記往復配線の復路配線に沿って伝播される復路クロックが供給され、前記往路クロックと前記復路クロックの中間の位相を有するローカルクロックを発生し、それぞれ対応する前記制御回路に前記ローカルクロックを供給する複数のローカルクロック駆動回路を備え、
前記メインクロック駆動回路は、基準クロックが供給され、前記第１のクロックが前記往路配線の終端に到達する時点の位相が前記基準クロックの位相に一致するように前記第１のクロックの位相を制御することを特徴とする集積回路。
【請求項１２】
それぞれ異なる位置に配置された複数の制御回路にクロックを供給するクロック供給回路を有する集積回路であって、
前記クロック供給回路は、
前記複数の制御回路に沿って配置された往復配線と、
前記複数の制御回路に沿って配置された内部クロック供給線と、
前記往復配線の往路配線に第１のクロックを出力し、前記内部クロック供給線に前記第１のクロックよりも周期が短い第２のクロックを出力するメインクロック駆動回路と、
前記制御回路のそれぞれの近傍に配置され、前記往路配線に沿う前記第１のクロックにより伝播される往路クロックと、前記復路配線に沿って伝播される復路クロックが供給され、前記内部クロック供給線に沿って伝播される前記第２のクロックが供給され、前記第２のクロックの位相を前記往路クロックと前記復路クロック間の半分の位相差に遅延し、前記第２のクロックの遅延クロックをローカルクロックとしてそれぞれ対応する制御回路に供給する複数のローカルクロック駆動回路
を備えることを特徴とする集積回路。
【請求項１３】
それぞれ異なる位置に配置された第１のグループの制御回路及び第２のグループの制御回路にクロックを供給するクロック供給回路であって、
前記第１のグループの制御回路に沿って配置された第１の往復配線と、
前記第２のグループの制御回路に沿って配置された第２の往復配線と、
前記第１、第２の往復配線のそれぞれの往路配線に第１のクロックを出力するメインクロック駆動回路と、
前記第１のグループの制御回路のそれぞれの近傍に配置され、前記第１の往路配線に沿う前記第１のクロックにより伝播される第１の往路クロックと、前記第１の復路配線に沿って伝播される第１の復路クロックが供給され、前記第１の往路クロックと前記第１の復路クロックの中間の位相を有するローカルクロックを発生し、それぞれ対応する前記制御回路に前記ローカルクロックを供給する複数の第１のローカルクロック駆動回路と、
前記第２のグループの制御回路のそれぞれの近傍に配置され、前記第２の往路配線に沿う前記第１のクロックにより伝播される第２の往路クロックと、前記第２の復路配線に沿って伝播される第２の復路クロックが供給され、前記第２の往路クロックと前記第２の復路クロックの中間の位相を有するローカルクロックを発生し、それぞれ対応する前記制御回路に前記ローカルクロックを供給する複数の第２のローカルクロック駆動回路と、
前記第２の往復配線上に設けられ、前記第１、第２の復路配線に沿って伝播する前記第１、第２の復路クロックの位相が一致するような遅延特性を有する往復配線遅延回路
を備えることを特徴とするクロック供給回路。
【請求項１４】
さらに、前記第１、第２の復路配線に沿って伝播する前記第１、第２の復路クロックの位相を比較する位相比較回路を備え、
前記往復配線遅延回路は、前記位相比較回路の出力に応じて、前記往復配線遅延回路の遅延量が前記第１、第２の復路クロックの位相を一致させるように制御されることを特徴とする請求項１３記載のクロック供給回路。
【請求項１５】
それぞれ異なる位置に配置された第１のグループの制御回路及び第２のグループの制御回路にクロックを供給するクロック供給回路であって、
前記第１のグループの制御回路に沿って配置された第１の往復配線と、
前記第２のグループの制御回路に沿って配置された第２の往復配線と、
前記第１のグループの制御回路に沿って配置された第１の内部クロック供給線と、
前記第２のグループの制御回路に沿って配置された第２の内部クロック供給線と、
前記第１、第２の往路配線に第１のクロックを出力し、前記第１、第２の内部クロック供給線に前記第１のクロックよりも周期が短い第２のクロックを出力するメインクロック駆動回路と、
前記第１のグループの制御回路のそれぞれの近傍に配置され、前記第１の往路配線に沿う前記第１のクロックにより伝播される第１の往路クロックと、前記第１の復路配線に沿って伝播される第１の復路クロックが供給され、さらに、前記第１の内部クロック供給線に沿って伝播される前記第２のクロックが供給され、前記第１の往路クロックと前記第１の復路クロックの中間の位相に一致するように前記第２のクロックの位相を遅延し、前記第２のクロックの遅延クロックをそれぞれ対応する制御回路にローカルクロックとして供給する複数の第１のローカルクロック駆動回路と、
前記第２のグループの制御回路のそれぞれの近傍に配置され、前記第２の往路配線に沿う前記第１のクロックにより伝播される第２の往路クロックと、前記第２の復路配線に沿って伝播される第２の復路クロックが供給され、さらに、前記第１の内部クロック供給線に沿って伝播される前記第２のクロックが供給され、前記第２の往路クロックと前記第２の復路クロックの中間の位相に一致するように前記第２のクロックの位相を遅延し、前記第２のクロックの遅延クロックをそれぞれ対応する制御回路にローカルクロックとして供給する複数の第２のローカルクロック駆動回路と、
前記第２の往復配線上に設けられ、前記第１、第２の復路配線に沿って伝播する前記第１、第２の復路クロックの位相が一致するような遅延特性を有する往復配線遅延回路
を備えることを特徴とするクロック供給回路。
【請求項１６】
さらに、前記第１、第２の復路配線に沿って伝播する前記第１、第２の復路クロックの位相を比較する位相比較回路を備え、
前記往復配線遅延回路は、前記位相比較回路の出力に応じて、前記往復配線遅延回路の遅延量が前記第１、第２の復路クロックの位相を一致させるように制御されることを特徴とする請求項１５記載のクロック供給回路。
【手続補正２】
【補正対象書類名】明細書
【補正対象項目名】００１２
【補正方法】変更
【補正の内容】
【００１２】
【課題を解決するための手段】
本発明中、第１の発明は、第１、第２の片道配線と、第１、第２の往復配線と、第１、第２の片道配線に、第１のクロックを出力すると共に、第１、第２の往復配線の往路配線に、第１のクロックを分周した第２のクロックを出力する第１のクロック駆動回路と、第１の片道配線上の第１のクロックと、第１の往復配線の往路配線上の第２のクロックと、第１の往復配線の復路配線上の第３のクロックとを入力して、入力した第１のクロックを遅延し、入力した第２のクロックと入力した第３のクロックとの中間の位相を有する第４のクロックに同期している第５のクロックを出力する複数の第２のクロック駆動回路と、第２の片道配線上の第１のクロックと、第２の往復配線の往路配線上の第２のクロックと、第２の往復配線の復路配線上の第６のクロックとを入力して、入力した第１のクロックを遅延し、入力した第２のクロックと入力した第６のクロックとの中間の位相を有する第７のクロックに同期している第８のクロックを出力する第３のクロック駆動回路とを備えてなる集積回路において、第１の往復配線の往路配線と、第１の往復配線の復路配線との間に、第１の遅延回路を介在させると共に、第２の往復配線の往路配線と、第２の往復配線の復路配線との間に、第２の遅延回路を介在させているというものである。


【手続補正３】
【補正対象書類名】明細書
【補正対象項目名】００１５
【補正方法】変更
【補正の内容】
【００１５】
本発明中、第２の発明は、第１、第２の片道配線と、第１、第２の往復配線と、第１、第２の片道配線に、第１のクロックを出力すると共に、第１、第２の往復配線の往路配線に、第１のクロックを分周した第２のクロックを出力する第１のクロック駆動回路と、第１の片道配線上の第１のクロックと、第１の往復配線の往路配線上の第２のクロックと、第１の往復配線の復路配線上の第３のクロックとを入力して、入力した第１のクロックを遅延し、入力した第２のクロックと入力した第３のクロックとの中間の位相を有する第４のクロックに同期している第５のクロックを出力する複数の第２のクロック駆動回路と、第２の片道配線上の第１のクロックと、第２の往復配線の往路配線上の第２のクロックと、第２の往復配線の復路配線上の第６のクロックとを入力して、入力した第１のクロックを遅延し、入力した第２のクロックと入力した第６のクロックとの中間の位相を有する第７のクロックに同期している第８のクロックを出力する第３のクロック駆動回路とを備えてなる集積回路において、第１の往復配線の往路配線と、第１の往復配線の復路配線との間に、第１の遅延回路を介在させているというものである。


【手続補正４】
【補正対象書類名】明細書
【補正対象項目名】００１７
【補正方法】変更
【補正の内容】
【００１７】
本発明中、第３の発明は、第１又は第２の発明において、第１の遅延回路は可変遅延回路であり、第１の往復配線の復路配線を伝送されてきた第３のクロックと、第２の往復配線の復路配線を伝送されてきた第６のクロックとが同期するように、第１の遅延回路の遅延時間を制御する第１の遅延制御回路を備えているというものである。


【手続補正５】
【補正対象書類名】明細書
【補正対象項目名】００１８
【補正方法】変更
【補正の内容】
【００１８】
本発明中、第４の発明は、第１、第２又は第３の発明において、第１のクロック駆動回路は、外部から供給される外部クロックを遅延して第１のクロックを出力する第１の可変遅延回路と、外部クロックを分周する分周器と、第１の可変遅延回路と同一の回路構成とされ、かつ、第１の可変遅延回路と同一の遅延時間に制御され、分周器から出力される分周クロックを遅延して第２のクロックを出力する第２の可変遅延回路と、第２の可変遅延回路から出力される第２のクロックを所定時間遅延してなるダミー・クロックを出力するダミー遅延回路と、分周クロックの位相と、ダミー・クロックの位相とを比較する第１の位相比較器と、第１の位相比較器から出力される位相比較信号に基づいて第１、第２の可変遅延回路の遅延時間を制御する第２の遅延時間制御回路とを備えているというものである。


【手続補正６】
【補正対象書類名】明細書
【補正対象項目名】００１９
【補正方法】変更
【補正の内容】
【００１９】
本発明中、第５の発明は、第４の発明において、ダミー遅延回路は、第２の可変遅延回路から出力される第２のクロックを遅延してダミー・クロックを出力する第３の可変遅延回路と、第３の可変遅延回路と同一の回路構成とされ、かつ、第３の可変遅延回路と同一の遅延時間に制御され、第２の可変遅延回路から出力される第２のクロックを遅延する第４の可変遅延回路と、第３の可変遅延回路と同一の回路構成とされ、かつ、第３の可変遅延回路と同一の遅延時間に制御され、第４の可変遅延回路から出力されるクロックを遅延する第５の可変遅延回路と、第１の往復配線の復路配線を伝送されてきた第３のクロック又は第２の往復配線の復路配線を伝送されてきた第６のクロックの位相と、第５の可変遅延回路から出力されるクロックの位相とを比較する第２の位相比較器と、第２の位相比較器から出力される位相比較信号に基づいて第３、第４、第５の可変遅延回路の遅延時間を制御する第３の遅延時間制御回路とを備えているというものである。


【手続補正７】
【補正対象書類名】明細書
【補正対象項目名】００２０
【補正方法】変更
【補正の内容】
【００２０】
本発明中、第６の発明は、第１、第２、第３、第４又は第５の発明において、第２のクロック駆動回路は、入力した第１のクロックを遅延して第５のクロックを出力する第６の可変遅延回路と、第６の可変遅延回路と同一の回路構成とされ、かつ、第６の可変遅延回路と同一の遅延時間に制御され、入力した第２のクロックを遅延する第７の可変遅延回路と、第６の可変遅延回路と同一の回路構成とされ、かつ、第６の可変遅延回路と同一の遅延時間に制御され、第７の可変遅延回路から出力されるクロックを遅延する第８の可変遅延回路と、入力した第３のクロックの位相と、第８の可変遅延回路から出力されるクロックの位相とを比較する第３の位相比較器と、第３の位相比較器から出力される位相比較信号に基づいて第６、第７、第８の可変遅延回路の遅延時間を制御する第４の遅延時間制御回路とを備えて構成され、第３のクロック駆動回路は、入力した第１のクロックを遅延して第８のクロックを出力する第９の可変遅延回路と、第９の可変遅延回路と同一の回路構成とされ、かつ、第９の可変遅延回路と同一の遅延時間に制御され、入力した第２のクロックを遅延する第１０の可変遅延回路と、第９の可変遅延回路と同一の回路構成とされ、かつ、第９の可変遅延回路と同一の遅延時間に制御され、第１０の可変遅延回路から出力されるクロックを遅延する第１１の可変遅延回路と、入力した第６のクロックの位相と、第１１の可変遅延回路から出力されるクロックの位相とを比較する第４の位相比較器と、第４の位相比較器から出力される位相比較信号に基づいて第９、第１０、第１１の可変遅延回路の遅延時間を制御する第５の遅延時間制御回路とを備えているというものである。


【手続補正８】
【補正対象書類名】明細書
【補正対象項目名】００２１
【補正方法】変更
【補正の内容】
【００２１】
本発明中、第７の発明は、片道配線と、往復配線と、片道配線に、第１のクロックを出力すると共に、往復配線の往路配線に、第１のクロックを分周した第２のクロックを出力する第１のクロック駆動回路と、片道配線上の第１のクロックと、往復配線の往路配線上の第２のクロックと、往復配線の復路配線上の第３のクロックとを入力して、入力した第１のクロックを遅延し、入力した第２のクロックと入力した第３のクロックとの中間の位相を有する第４のクロックに同期している第５のクロックを出力する複数の第２のクロック駆動回路とを備えてなる集積回路において、往復配線の往路配線と、往復配線の復路配線との間に、遅延回路を介在させているというものである。


【手続補正９】
【補正対象書類名】明細書
【補正対象項目名】００２３
【補正方法】変更
【補正の内容】
【００２３】
本発明中、第８の発明は、第７の発明において、第１のクロック駆動回路は、外部から供給される外部クロックを遅延して第１のクロックを出力する第１の可変遅延回路と、外部クロックを分周する分周器と、第１の可変遅延回路と同一の回路構成とされ、かつ、第１の可変遅延回路と同一の遅延時間に制御され、分周器から出力される分周クロックを遅延して第２のクロックを出力する第２の可変遅延回路と、第２の可変遅延回路から出力される第２のクロックを所定時間遅延してなるダミー・クロックを出力するダミー遅延回路と、分周クロックの位相と、ダミー・クロックの位相とを比較する第１の位相比較器と、第１の位相比較器から出力される位相比較信号に基づいて第１、第２の可変遅延回路の遅延時間を制御する第１の遅延時間制御回路とを備えているというものである。


【手続補正１０】
【補正対象書類名】明細書
【補正対象項目名】００２４
【補正方法】変更
【補正の内容】
【００２４】
本発明中、第９の発明は、第８の発明において、ダミー遅延回路は、第２の可変遅延回路から出力される第２のクロックを遅延してダミー・クロックを出力する第３の可変遅延回路と、第３の可変遅延回路と同一の回路構成とされ、かつ、第３の可変遅延回路と同一の遅延時間に制御され、第２の可変遅延回路から出力される第２のクロックを遅延する第４の可変遅延回路と、第３の可変遅延回路と同一の回路構成とされ、かつ、第３の可変遅延回路と同一の遅延時間に制御され、第４の可変遅延回路から出力されるクロックを遅延する第５の可変遅延回路と、往復配線の復路配線を伝送されてきた第３のクロックの位相と、第５の可変遅延回路から出力されるクロックの位相とを比較する第２の位相比較器と、第２の位相比較器から出力される位相比較信号に基づいて第３、第４、第５の可変遅延回路の遅延時間を制御する第２の遅延時間制御回路とを備えているというものである。


【手続補正１１】
【補正対象書類名】明細書
【補正対象項目名】００２５
【補正方法】変更
【補正の内容】
【００２５】
本発明中、第１０の発明は、第７、第８又は第９の発明において、第２のクロック駆動回路は、入力した第１のクロックを遅延して第５のクロックを出力する第６の可変遅延回路と、第６の可変遅延回路と同一の回路構成とされ、かつ、第６の可変遅延回路と同一の遅延時間に制御され、入力した第２のクロックを遅延する第７の可変遅延回路と、第６の可変遅延回路と同一の回路構成とされ、かつ、第６の可変遅延回路と同一の遅延時間に制御され、第７の可変遅延回路から出力されるクロックを遅延する第８の可変遅延回路と、入力した第３のクロックの位相と、第８の可変遅延回路から出力されるクロックの位相とを比較する第３の位相比較器と、第３の位相比較器から出力される位相比較信号に基づいて第６、第７、第８の可変遅延回路の遅延時間を制御する第３の遅延時間制御回路とを備えているというものである。


【手続補正１２】
【補正対象書類名】明細書
【補正対象項目名】００２６
【補正方法】変更
【補正の内容】
【００２６】
本発明中、第１１の発明は、第１、第２の往復配線と、第１、第２の往復配線の往路配線に、第１のクロックを出力する第１のクロック駆動回路と、第１の往復配線の往路配線上の第１のクロックと、第１の往復配線の復路配線上の第２のクロックとを入力して、入力した第１のクロックを遅延し、入力した第１のクロックと入力した第２のクロックとの中間の位相を有する第３のクロックに同期している第４のクロックを出力する複数の第２のクロック駆動回路と、第２の往復配線の往路配線上の第１のクロックと、第２の往復配線の復路配線上の第５のクロックとを入力して、入力した第１のクロックを遅延し、入力した第１のクロックと入力した第５のクロックとの中間の位相を有する第６のクロックに同期している第７のクロックを出力する第３のクロック駆動回路とを備えてなる集積回路において、第１の往復配線の往路配線と、第１の往復配線の復路配線との間に、第１の遅延回路を介在させると共に、第２の往復配線の往路配線と、第２の往復配線の復路配線との間に、第２の遅延回路を介在させているというものである。


【手続補正１３】
【補正対象書類名】明細書
【補正対象項目名】００２９
【補正方法】変更
【補正の内容】
【００２９】
本発明中、第１２の発明は、第１、第２の往復配線と、第１、第２の往復配線の往路配線に、第１のクロックを出力する第１のクロック駆動回路と、第１の往復配線の往路配線上の第１のクロックと、第１の往復配線の復路配線上の第２のクロックとを入力して、入力した第１のクロックを遅延し、入力した第１のクロックと入力した第２のクロックとの中間の位相を有する第３のクロックに同期している第４のクロックを出力する複数の第２のクロック駆動回路と、第２の往復配線の往路配線上の第１のクロックと、第２の往復配線の復路配線上の第５のクロックとを入力して、入力した第１のクロックを遅延し、入力した第１のクロックと入力した第５のクロックとの中間の位相を有する第６のクロックに同期している第７のクロックを出力する第３のクロック駆動回路とを備えてなる集積回路において、第１の往復配線の往路配線と、第１の往復配線の復路配線との間に、第１の遅延回路を介在させているというものである。


【手続補正１４】
【補正対象書類名】明細書
【補正対象項目名】００３１
【補正方法】変更
【補正の内容】
【００３１】
本発明中、第１３の発明は、第１１又は第１２の発明において、第１の遅延回路は可変遅延回路であり、第１の往復配線の復路配線を伝送されてきた第２のクロックと、第２の往復配線の復路配線を伝送されてきた第５のクロックとが同期するように、第１の遅延回路の遅延時間を制御する第１の遅延制御回路を備えているというものである。


【手続補正１５】
【補正対象書類名】明細書
【補正対象項目名】００３２
【補正方法】変更
【補正の内容】
【００３２】
本発明中、第１４の発明は、第１１、第１２又は第１３の発明において、第１のクロック駆動回路は、外部から供給される外部クロックを遅延して第１のクロックを出力する第１の可変遅延回路と、第１の可変遅延回路と同一の回路構成とされ、かつ、第１の可変遅延回路と同一の遅延時間に制御され、外部クロックを遅延する第２の可変遅延回路と、第２の可変遅延回路から出力されるクロックを所定時間遅延してなるダミー・クロックを出力するダミー遅延回路と、外部クロックの位相と、ダミー・クロックの位相とを比較する第１の位相比較器と、第１の位相比較器から出力される位相比較信号に基づいて第１、第２の可変遅延回路の遅延時間を制御する第２の遅延時間制御回路とを備えているというものである。


【手続補正１６】
【補正対象書類名】明細書
【補正対象項目名】００３３
【補正方法】変更
【補正の内容】
【００３３】
本発明中、第１５の発明は、第１４の発明において、ダミー遅延回路は、第２の可変遅延回路から出力されるクロックを遅延してダミー・クロックを出力する第３の可変遅延回路と、第３の可変遅延回路と同一の回路構成とされ、かつ、第３の可変遅延回路と同一の遅延時間に制御され、第２の可変遅延回路から出力されるクロックを遅延する第４の可変遅延回路と、第３の可変遅延回路と同一の回路構成とされ、かつ、第３の可変遅延回路と同一の遅延時間に制御され、第４の可変遅延回路から出力されるクロックを遅延する第５の可変遅延回路と、第１の往復配線の復路配線を伝送されてきた第２のクロック又は第２の往復配線の復路配線を伝送されてきた第５のクロックの位相と、第５の可変遅延回路から出力されるクロックの位相とを比較する第２の位相比較器と、第２の位相比較器から出力される位相比較信号に基づいて第３、第４、第５の可変遅延回路の遅延時間を制御する第３の遅延時間制御回路とを備えているというものである。


【手続補正１７】
【補正対象書類名】明細書
【補正対象項目名】００３４
【補正方法】変更
【補正の内容】
【００３４】
本発明中、第１６の発明は、第１１、第１２、第１３、第１４又は第１５の発明において、第２のクロック駆動回路は、入力した第１のクロックを遅延して第４のクロックを出力する第６の可変遅延回路と、第６の可変遅延回路と同一の回路構成とされ、かつ、第６の可変遅延回路と同一の遅延時間に制御され、入力した第１のクロックを遅延する第７の可変遅延回路と、第６の可変遅延回路と同一の回路構成とされ、かつ、第６の可変遅延回路と同一の遅延時間に制御され、第７の可変遅延回路から出力されるクロックを遅延する第８の可変遅延回路と、入力した第２のクロックの位相と、第８の可変遅延回路から出力されるクロックの位相とを比較する第３の位相比較器と、第３の位相比較器から出力される位相比較信号に基づいて第６、第７、第８の可変遅延回路の遅延時間を制御する第４の遅延時間制御回路とを備えて構成され、第３のクロック駆動回路は、入力した第１のクロックを遅延して第７のクロックを出力する第９の可変遅延回路と、第９の可変遅延回路と同一の回路構成とされ、かつ、第９の可変遅延回路と同一の遅延時間に制御され、入力した第１のクロックを遅延する第１０の可変遅延回路と、第９の可変遅延回路と同一の回路構成とされ、かつ、第９の可変遅延回路と同一の遅延時間に制御され、第１０の可変遅延回路から出力されるクロックを遅延する第１１の可変遅延回路と、入力した第５のクロックの位相と、第１１の可変遅延回路から出力されるクロックの位相とを比較する第４の位相比較器と、第４の位相比較器から出力される位相比較信号に基づいて第９、第１０、第１１の可変遅延回路の遅延時間を制御する第５の遅延時間制御回路とを備えているというものである。


【手続補正１８】
【補正対象書類名】明細書
【補正対象項目名】００３５
【補正方法】変更
【補正の内容】
【００３５】
本発明中、第１７の発明は、往復配線と、往復配線の往路配線に、第１のクロックを出力する第１のクロック駆動回路と、往復配線の往路配線上の第１のクロックと、第１の往復配線の復路配線上の第２のクロックとを入力して、入力した第１のクロックを遅延し、入力した第１のクロックと入力した第２のクロックとの中間の位相を有する第３のクロックに同期している第４のクロックを出力する複数の第２のクロック駆動回路とを備えてなる集積回路において、往復配線の往路配線と、往復配線の復路配線との間に、遅延回路を介在させているというものである。


【手続補正１９】
【補正対象書類名】明細書
【補正対象項目名】００３７
【補正方法】変更
【補正の内容】
【００３７】
本発明中、第１８の発明は、第１７の発明において、第１のクロック駆動回路は、外部から供給される外部クロックを遅延して第１のクロックを出力する第１の可変遅延回路と、第１の可変遅延回路と同一の回路構成とされ、かつ、第１の可変遅延回路と同一の遅延時間に制御され、外部クロックを遅延する第２の可変遅延回路と、第２の可変遅延回路から出力されるクロックを所定時間遅延してなるダミー・クロックを出力するダミー遅延回路と、外部クロックの位相と、ダミー・クロックの位相とを比較する第１の位相比較器と、第１の位相比較器から出力される位相比較信号に基づいて第１、第２の可変遅延回路の遅延時間を制御する第１の遅延時間制御回路とを備えているというものである。


【手続補正２０】
【補正対象書類名】明細書
【補正対象項目名】００３８
【補正方法】変更
【補正の内容】
【００３８】
本発明中、第１９の発明は、第１８の発明において、第２の可変遅延回路から出力されるクロックを遅延してダミー・クロックを出力する第３の可変遅延回路と、第３の可変遅延回路と同一の回路構成とされ、かつ、第３の可変遅延回路と同一の遅延時間に制御され、第２の可変遅延回路から出力されるクロックを遅延する第４の可変遅延回路と、第３の可変遅延回路と同一の回路構成とされ、かつ、第３の可変遅延回路と同一の遅延時間に制御され、第４の可変遅延回路から出力されるクロックを遅延する第５の可変遅延回路と、往復配線の復路配線を伝送されてきた第２のクロックと、第５の可変遅延回路から出力されるクロックの位相とを比較する第２の位相比較器と、第２の位相比較器から出力される位相比較信号に基づいて第３、第４、第５の可変遅延回路の遅延時間を制御する第２の遅延時間制御回路とを備えているというものである。


【手続補正２１】
【補正対象書類名】明細書
【補正対象項目名】００３９
【補正方法】変更
【補正の内容】
【００３９】
本発明中、第２０の発明は、第１７、第１８又は第１９の発明において、第２のクロック駆動回路は、入力した第１のクロックを遅延して第４のクロックを出力する第６の可変遅延回路と、第６の可変遅延回路と同一の回路構成とされ、かつ、第６の可変遅延回路と同一の遅延時間に制御され、入力した第１のクロックを遅延する第７の可変遅延回路と、第６の可変遅延回路と同一の回路構成とされ、かつ、第６の可変遅延回路と同一の遅延時間に制御され、第７の可変遅延回路から出力されるクロックを遅延する第８の可変遅延回路と、入力した第２のクロックの位相と、第８の可変遅延回路から出力されるクロックの位相とを比較する第３の位相比較器と、第３の位相比較器から出力される位相比較信号に基づいて第６、第７、第８の可変遅延回路の遅延時間を制御する第３の遅延時間制御回路とを備えているというものである。


【手続補正２２】
【補正対象書類名】明細書
【補正対象項目名】０１４０
【補正方法】変更
【補正の内容】
【０１４０】
【発明の効果】
以上のように、本発明中、第１、第２、第３、第４、第５、第６、第７、第８、第９又は第１０の発明によれば、往復配線上のクロックの遅延時間差を大きくできるようにしたことにより、片道配線上のクロックからクロックを生成するクロック駆動回路の同期動作を確実に行い、同一のタイミングでクロックが与えられるべき複数の回路に対してクロック・スキューを最小限に小さくしたクロックを供給することができるので、高速化を図ることができる。


【手続補正２３】
【補正対象書類名】明細書
【補正対象項目名】０１４１
【補正方法】変更
【補正の内容】
【０１４１】
また、本発明中、第１１、第１２、第１３、第１４、第１５、第１６、第１７、第１８、第１９又は第２０の発明によれば、往復配線上のクロックの遅延時間差を大きくできるようにしたことにより、往路配線上のクロックからクロックを生成するクロック駆動回路の同期動作を確実に行い、同一のタイミングでクロックが与えられるべき複数の回路に対してクロック・スキューを最小限に小さくしたクロックを供給することができるので、高速化を図ることができる。